(57)【特許請求の範囲】
【請求項１】
表示部に表示される画像を切り替える所定の操作イベントを受ける毎に、前記表示部に表示される画像を順次切り替えることが可能であり、前記表示部に最初に表示される先頭画像から最後に表示される最後尾画像に至る個々の画像間の切り替え時には第１の中間画像を前記表示部に表示させ、前記最後尾画像と前記先頭画像との間の切り替え時には前記第１の中間画像とは異なる第２の中間画像を前記表示部に表示させるように構成された制御部を具備し、
前記第１の中間画像は、現在表示されている第１の画像を所定方向に移動させながら前記表示部から消失させつつ、前記第１の画像の次に表示される第２の画像を前記所定方向に移動させながら前記表示部に表示させる第１のアニメーション画像を含み、
前記第２の中間画像は、前記先頭画像および最後尾画像のうち一方の画像を前記所定方向に移動させながら前記表示部から消失させつつ、前記一方の画像から所定の領域を空けて他方の画像を前記所定方向に移動させながら前記表示部に表示させる第２のアニメーション画像を含み、
前記第２のアニメーション画像は、前記第１のアニメーション画像よりも小さく表示される
ウェアラブル機器。
【請求項２】
請求項１に記載のウェアラブル機器であって、
前記第１の中間画像は、第１の再生時間を有し、
前記第２の中間画像は、前記第１の再生時間よりも長い第２の再生時間を有する
ウェアラブル機器。
【請求項３】
請求項１に記載のウェアラブル機器であって、
前記第２のアニメーション画像は、前記一方の画像を前記表示部から消失させた後、前記他方の画像を前記表示部に表示させる前に表示される、所定の画像をさらに含む
ウェアラブル機器。
【請求項４】
請求項１に記載のウェアラブル機器であって、
前記先頭画像および前記最後尾画像は、各々対称な位置に表示される所定の画像をそれぞれ有する
ウェアラブル機器。
【請求項５】
請求項１に記載のウェアラブル機器であって、
前記制御部は、前記画像の切り替えに同期して移動するスクロールバーを前記表示部にさらに表示させるように構成される
ウェアラブル機器。
【請求項６】
請求項５に記載のウェアラブル機器であって、
前記制御部は、前記第２の中間画像を前記表示部に表示させるときに前記スクロールバーを分割して表示させるように構成される
ウェアラブル機器。
【請求項７】
請求項５に記載のウェアラブル機器であって、
前記制御部は、前記第２の中間画像を前記表示部に表示させるときに前記スクロールバーを前記表示部から消失させるように構成される
ウェアラブル機器。
【請求項８】
請求項１に記載のウェアラブル機器であって、
前記制御部は、記第１の中間画像を前記表示部に表示させるときに第１の音響を再生し、前記第２の中間画像を前記表示部に表示させるときに前記第１の音響とは異なる第２の音響を再生する
ウェアラブル機器。
【請求項９】
請求項１に記載のウェアラブル機器であって、
前記表示部を搭載し、ユーザの頭部に装着可能に構成された装着ユニットをさらに具備する
ウェアラブル機器。
【請求項１０】
表示部に表示される画像を切り替える所定の操作イベントを受ける毎に、前記表示部に表示される画像を順次切り替えることが可能であり、前記表示部に最初に表示される先頭画像から最後に表示される最後尾画像に至る個々の画像間の切り替え時には第１の中間画像を前記表示部に表示させ、前記最後尾画像と前記先頭画像との間の切り替え時には前記第１の中間画像とは異なる第２の中間画像を前記表示部に表示させるように構成された制御部を具備し、
前記第１の中間画像は、現在表示されている第１の画像を所定方向に移動させながら前記表示部から消失させつつ、前記第１の画像の次に表示される第２の画像を前記所定方向に移動させながら前記表示部に表示させる第１のアニメーション画像を含み、
前記第２の中間画像は、前記先頭画像および最後尾画像のうち一方の画像を前記所定方向に移動させながら前記表示部から消失させつつ、前記一方の画像から所定の領域を空けて他方の画像を前記所定方向に移動させながら前記表示部に表示させる第２のアニメーション画像を含み、
前記第２のアニメーション画像は、前記第１のアニメーション画像よりも小さく表示される
を具備する電子機器。
【請求項１１】
表示部に表示される画像を切り替える所定の操作イベントを受ける毎に、前記表示部に表示される画像を順次切り替えることが可能であり、前記表示部に最初に表示される先頭画像から最後に表示される最後尾画像に至る個々の画像間の切り替え時には第１の中間画像を前記表示部に表示させ、前記最後尾画像と前記先頭画像との間の切り替え時には前記第１の中間画像とは異なる第２の中間画像を前記表示部に表示させるように構成された制御部を具備し、
前記第１の中間画像は、現在表示されている第１の画像を所定方向に移動させながら前記表示部から消失させつつ、前記第１の画像の次に表示される第２の画像を前記所定方向に移動させながら前記表示部に表示させる第１のアニメーション画像を含み、
前記第２の中間画像は、前記先頭画像および最後尾画像のうち一方の画像を前記所定方向に移動させながら前記表示部から消失させつつ、前記一方の画像から所定の領域を空けて他方の画像を前記所定方向に移動させながら前記表示部に表示させる第２のアニメーション画像を含み、
前記第２のアニメーション画像は、前記第１のアニメーション画像よりも小さく表示される
を具備する画像制御装置。
【請求項１２】
表示部に表示される画像を切り替える所定の操作イベントを受ける毎に、前記表示部に表示される画像を順次切り替え、
前記表示部に最初に表示される先頭画像から最後に表示される最後尾画像に至る個々の画像間の切り替え時には第１の中間画像を前記表示部に表示させ、
前記最後尾画像と前記先頭画像との間の切り替え時には前記第１の中間画像とは異なる第２の中間画像を前記表示部に表示させ、
前記第１の中間画像は、現在表示されている第１の画像を所定方向に移動させながら前記表示部から消失させつつ、前記第１の画像の次に表示される第２の画像を前記所定方向に移動させながら前記表示部に表示させる第１のアニメーション画像を含み、
前記第２の中間画像は、前記先頭画像および最後尾画像のうち一方の画像を前記所定方向に移動させながら前記表示部から消失させつつ、前記一方の画像から所定の領域を空けて他方の画像を前記所定方向に移動させながら前記表示部に表示させる第２のアニメーション画像を含み、
前記第２のアニメーション画像は、前記第１のアニメーション画像よりも小さく表示される
表示制御方法。
【発明の詳細な説明】
【技術分野】
【０００１】
本技術は、ユーザの操作により複数の画像を順次切り替えて表示することが可能なウェアラブル機器、電子機器、画像制御装置および表示制御方法に関する。
【背景技術】
【０００２】
表示部に複数の画像を順番に表示することが可能な電子機器が知られている。例えば特許文献１（段落［００８９］）には、複数のサムネイル画像を順番に表示可能なディスプレイを有し、先頭のサムネイル画像が表示領域から外れたとき、非表示領域に存在する複数のサムネイル画像の最後尾に配置しなおす電子機器が記載されている。これにより、各サムネイル画像を表示領域と非表示領域との間で循環させることが可能としている。
【先行技術文献】
【特許文献】
【０００３】
【特許文献１】特開２０１１−２１０１３８号公報
【発明の概要】
【発明が解決しようとする課題】
【０００４】
しかしながら、ユーザの操作によって表示部に表示される画像を他の画像に順次、循環表示させる電子機器においては、最後尾の画像と先頭の画像との区別がつきにくく、ユーザにとっては画像が無限にあるような混乱を生じさせるおそれがある。【０００５】
以上のような事情に鑑み、本技術の目的は、複数の画像を順次循環表示させる場合において、最後尾画像と先頭画像との間の切り替わりを直感的に認識させることが可能なウェアラブル機器、電子機器、画像制御装置および表示制御方法を提供することにある。
【課題を解決するための手段】
【０００６】
本技術の一形態に係るウェアラブル機器は、表示部と、操作部と、記憶部と、表示制御部とを具備する。
上記表示部は、画像を表示するように構成される。
上記操作部は、上記表示部に表示される画像を切り替える所定の操作イベントが入力されるように構成される。
上記記憶部は、上記表示部に表示される複数の画像を格納するように構成される。
上記表示制御部は、上記所定の操作イベントを受ける毎に、上記表示部に表示される画像を順次切り替えることが可能に構成される。上記表示制御部は、上記表示部に最初に表示される先頭画像から最後に表示される最後尾画像に至る個々の画像間の切り替え時には、第１の中間画像を上記表示部に表示させるように構成される。上記表示制御部は、上記最後尾画像と上記先頭画像との間の切り替え時には、上記第１の中間画像とは異なる第２の中間画像を上記表示部に表示させるように構成される。【０００７】
上記ウェアラブル機器によれば、最後尾画像と先頭画像との間の切り替え時に、それ以外の画像間の切り替え時とは異なる中間画像を表示部に表示させるように構成されているため、最後尾画像と先頭画像との間の切り替わりをユーザに直感的に認識させることが可能となる。【０００８】
上記第１の中間画像は、第１の再生時間を有し、第２の中間画像は、上記第１の再生時間よりも長い第２の再生時間を有していてもよい。【０００９】
上記第１の中間画像は、第１のアニメーション画像を含んでもよい。上記第１のアニメーション画像は、現在表示されている第１の画像を所定方向に移動させながら上記表示部から消失させつつ、上記第１の画像の次に表示される第２の画像を上記所定方向に移動させながら上記表示部に表示させる。【００１０】
一方、上記第２の中間画像は、上記先頭画像および最後尾画像のうち一方の画像を上記所定方向に移動させながら上記表示部から消失させた後、他方の画像を上記所定方向に移動させながら上記表示部に表示させる第２のアニメーション画像を含んでもよい。【００１１】
この場合、上記第２のアニメーション画像は、所定の画像をさらに含んでもよい。上記所定の画像は、上記一方の画像を上記表示部から消失させた後、上記他方の画像を上記表示部に表示させる前に表示される。【００１２】
また、上記表示制御部は、上記第２のアニメーション画像を上記第１のアニメーション画像よりも小さく表示させるように構成されてもよい。【００１３】
上記先頭画像および上記最後尾画像は、各々対称な位置に表示される所定の画像をそれぞれ有してもよい。【００１４】
上記表示制御部は、上記画像の切り替えに同期して移動するスクロールバーを上記表示部にさらに表示させるように構成されてもよい。【００１５】
上記表示制御部は、上記第２の中間画像を上記表示部に表示させるときに上記スクロールバーを分割して表示させるように構成されてもよい。【００１６】
上記表示制御部は、上記第２の中間画像を上記表示部に表示させるときに上記スクロールバーを上記表示部から消失させるように構成されてもよい。【００１７】
上記ウェアラブル機器は、音響出力部をさらに具備してもよい。上記音響出力部は、上記第１の中間画像を上記表示部に表示させるときに第１の音響を再生し、上記第２の中間画像を上記表示部に表示させるときに上記第１の音響とは異なる第２の音響を再生するように構成されてもよい。【００１８】
本技術の一形態に係る電子機器は、表示部と、操作部と、記憶部と、表示制御部とを具備する。
上記表示部は、画像を表示するように構成される。
上記操作部は、上記表示部に表示される画像を切り替える所定の操作イベントが入力されるように構成される。
上記記憶部は、上記表示部に表示される複数の画像を格納するように構成される。
上記表示制御部は、上記所定の操作イベントを受ける毎に、上記表示部に表示される画像を順次切り替えることが可能に構成される。上記表示制御部は、上記表示部に最初に表示される先頭画像から最後に表示される最後尾画像に至る個々の画像間の切り替え時には、第１の中間画像を上記表示部に表示させるように構成される。上記表示制御部は、上記最後尾画像と上記先頭画像との間の切り替え時には上記第１の中間画像とは異なる第２の中間画像を上記表示部に表示させるように構成される。【００１９】
本技術の一形態に係る画像制御装置は、操作部と、記憶部と、表示制御部とを具備する。
上記操作部は、電子機器の表示部に表示される画像を切り替える所定の操作イベントが入力されるように構成される。
上記記憶部は、上記表示部に表示される複数の画像を格納するように構成される。
上記表示制御部は、上記所定の操作イベントを受ける毎に、上記表示部に表示される画像を順次切り替えることが可能に構成される。上記表示制御部は、上記表示部に最初に表示される先頭画像から最後に表示される最後尾画像に至る個々の画像間の切り替え時には、第１の中間画像を上記表示部に表示させるように構成される。上記表示制御部は、上記最後尾画像と上記先頭画像との間の切り替え時には上記第１の中間画像とは異なる第２の中間画像を上記表示部に表示させるように構成される。【００２０】
本技術の一形態に係る表示制御方法は、表示部を有する電子機器の表示制御方法であって、所定の操作イベントを受ける毎に、上記表示部に表示される画像を順次切り替えることを含む。
上記表示部に最初に表示される先頭画像から最後に表示される最後尾画像に至る個々の画像間の切り替え時には、第１の中間画像が上記表示部に表示させられる。
上記最後尾画像と上記先頭画像との間の切り替え時には、上記第１の中間画像とは異なる第２の中間画像が上記表示部に表示させられる。【００２１】
本技術の他の形態に係るウェアラブル機器は、表示部と、操作部と、記憶部と、表示制御部とを具備する。
上記表示部は、画像を表示するように構成される。
上記操作部は、上記表示部に表示される画像を切り替える所定の操作イベントが入力されるように構成される。
上記記憶部は、上記表示部に表示される複数の画像を格納するように構成される。
上記表示制御部は、上記所定の操作イベントを受ける毎に、上記表示部に表示される画像を順次切り替えることが可能に構成される。上記表示制御部は、上記表示部に最初に表示される先頭画像および最後に表示される最後尾画像には、他の画像にはない所定の画像をそれぞれ表示させるように構成される。
【発明の効果】
【００２２】
以上のように、本技術によれば、複数の画像を順次循環表示させる場合において、最後尾画像と先頭画像との間の切り替わりを直感的に認識させることができる。
なお、ここに記載された効果は必ずしも限定されるものではなく、本開示中に記載されたいずれかの効果であってもよい。
【図面の簡単な説明】
【００２３】
【図１】本技術に係る情報処理システムの構成を示す図である。
【図２】上記システムにおける各機器の構成を示すブロック図である。
【図３】上記システムにおける携帯端末およびコントロールボックスにそれぞれ搭載されるソフトウェアの構成を示す図である。
【図４】上記表示部に表示されるカード画面の切り替えの動作を説明する図である。
【図５】上記表示部に表示されるカード画面の切り替えの動作を説明するためのイメージ図である。
【図６】本技術の一実施形態に係る表示制御方法を説明するフローチャートである。
【図７】本技術の一実施形態に係る第１のアニメーション画像を説明する画像遷移図である。
【図８】本技術の一実施形態に係る第２のアニメーション画像を説明する画像遷移図である。
【図９】上記第２のアニメーション画像の変形例を示す図である。
【図１０】本技術の第２の実施形態に係る第２のアニメーション画像を説明する画像遷移図である。
【図１１】本技術の第３の実施形態に係る第２のアニメーション画像を説明する画像遷移図である。
【図１２】上記第２のアニメーション画像の変形例を示す図である。
【発明を実施するための形態】
【００２４】
以下、本技術に係る実施形態を、図面を参照しながら説明する。
【００２５】
＜第１の実施形態＞
［ウェアラブル機器を用いた情報処理システムの全体構成］
図１は、本技術に係る情報処理システムの構成を示す。
【００２６】
このシステム１００は、主に、携帯端末３０、電子機器としてのウェアラブル機器（ウェアラブルディスプレイ）７０、およびこのウェアラブル機器７０を制御する制御装置として機能するコントロールボックス５０を含む。
【００２７】
携帯端末３０は、情報処理装置として機能し、典型的にはスマートホン等の携帯電話機である。携帯端末３０は、タブレット機器、その他ＰＣ（Personal Computer）であってもよい。
【００２８】
ウェアラブル機器７０は、図に示すようにヘッドマウント型のものであるが、これに限られず、例えばリストバンド型やネックバンド型のものであってもよい。
【００２９】
携帯端末３０は、クラウドシステム１０に接続可能に構成されている。クラウドシステム１０は、例えばインターネット等の電気通信回線網に接続されたサーバコンピュータ等を含む。
【００３０】
コントロールボックス５０は、典型的には、ウェアラブル機器７０に有線により接続されている。ユーザは、ウェアラブル機器７０を頭部に装着し、コントロールボックス５０を手指により操作することにより、ウェアラブル機器７０を操作することができる。
【００３１】
［各機器の構成］
図２は、本システム１００の各機器の構成を示すブロック図である。
【００３２】
（携帯端末）
携帯端末３０（例えばスマートホン）は、主に、ＣＰＵ（Central Processing Unit）３１、メモリ３２、タッチパネル／表示部３５、広域通信部３３、および局域通信部３４を有する。また、携帯端末３０は、その他、モーションセンサやカメラ等を含む各種センサ３７、ＧＰＳ（Global Positioning System）受信部３６、オーディオデバイス部３８、バッテリ３９等を有する。少なくとも携帯端末３０（または、携帯端末３０およびクラウドシステム１０）は、ウェアラブル機器７０の外部機器として機能する。
【００３３】
広域通信部３３は、例えば３Ｇ（Third Generation）やＬＴＥ（Long Term Evolution）等の通信システムにより通信可能に構成される。局域通信部３４は、例えばWiFi等の無線ＬＡＮ（Local Area Network）通信システム、および／または、Bluetooth（登録商標）、赤外線等の短距離無線通信システムにより通信可能に構成される。局域通信部３４は、コントロールボックス５０との間の「受信部」や「送信部」として機能する。
【００３４】
携帯端末３０は、局域通信部３４とは別に、例えばＲＦＩＤ（Radio Frequency IDentification）等の、いわゆる近距離無線通信システムを利用する個体識別デバイスを有していてもよい。
【００３５】
オーディオデバイス部３８は、マイクロフォンおよびスピーカを含む。
【００３６】
（ウェアラブル機器）
ウェアラブル機器７０は、ユーザの頭部に装着可能に構成された装着ユニット７０１を有する。装着ユニット７０１は、表示部７１、各種のセンサ７２〜７５、カメラ７８等を有する。
【００３７】
表示部７１は、図１に示すように、例えばヘッドマウント型のウェアラブル機器７０のフレーム７６の左右に配置される小型のプロジェクタである。このヘッドマウント型のウェアラブル機器７０では、各プロジェクタから出射された同一または視差を持つ画像光が導光板７７でガイドされ、導光板７７の所定領域からユーザの眼球に向けて出射されるようになっている。
【００３８】
なお、ウェアラブル機器７０では、左右のうち一方にのみ表示部７１が設けられていてもよい。ウェアラブル機器７０は、プロジェクタタイプのものに限られず、眼球に直接画像光を照射するタイプの表示部７１を備えていてもよい。
【００３９】
ウェアラブル機器７０の各種のセンサとしては、例えば、地磁気センサ７２、ジャイロセンサ７３、加速度センサ７４、照度センサ７５等がある。ウェアラブル機器７０には、視界方向（方位あるいは仰俯角）を検出するセンサ等が搭載されてもよい。
【００４０】
ジャイロセンサ７３（角速度センサ）および加速度センサ７４は、装着ユニット７０１の空間内における動きを検出するモーションセンサとして構成される。
【００４１】
カメラ７８は、ユーザの視界方向の被写体を撮影可能な撮像部を構成する。カメラ７８は、装着ユニット７０１に搭載される。
【００４２】
カメラ７８は、静止画および動画を撮影可能であり、ユーザの操作に基づく通常撮影モードのほか、所定時間毎に静止画を自動的に撮影するインターバル撮影モードで駆動されることが可能に構成される。
【００４３】
（コントロールボックス）
コントロールボックス５０は、ＣＰＵ５１、メモリ５２（記憶部）、局域通信部５４、入力キー５３、タッチパネル５５、オーディオデバイス部５８、バッテリ５９等を有する。
【００４４】
コントロールボックス５０は、ウェアラブル機器７０の付属機器（例えば、ウェアラブル機器７０の一部）として構成されてもよいし、ウェアラブル機器７０とは独立したコントローラとして構成されてもよい。コントロールボックス５０は、ウェアラブル機器７０の表示部７１に表示される画像の表示を制御する画像制御装置として構成される。
【００４５】
ＣＰＵ５１は、コントロールボックス５０内およびウェアラブル機器７０内の各部を統括的に制御する。コントロールボックス５０は、ＣＰＵ５１の代わりに、ＦＰＧＡ（Field Programmable Gate Array）等のＰＬＤ（Programmable Logic Device）を備えていてもよい。
【００４６】
局域通信部５４は、携帯端末３０の局域通信部３４と、上記した通信システムにより通信可能に構成される。局域通信部５４は、携帯端末３０との間の「受信部」や「送信部」として機能する。
【００４７】
入力キー５３は、コントロールボックス５０に配置された、ユーザにより操作される１以上の物理キーである。入力キー５３は、例えば電源キー、バックキー、表示部７１のON/OFFキー、カメラ７８のシャッタボタン等を含む。
【００４８】
タッチパネル５５は、コントロールボックス５０の表面に配置された（図１参照）、ユーザにより操作される操作デバイスである。入力キー５３およびタッチパネル５５は、ウェアラブル機器７０の「操作部」として機能する。
【００４９】
オーディオデバイス部５８は、マイクロフォンおよびスピーカを含む。
【００５０】
コントロールボックス５０は、局域通信部５４とは別に、例えば上述したＲＦＩＤ等の近距離無線通信システムを利用する通信デバイスを有していてもよい。これにより、ユーザは、携帯端末３０内の所定のアプリケーションソフトウェアを起動し、携帯端末３０をコントロールボックス５０に接近させることにより、ほぼ自動的にこれらの機器をペアリングすることができる。
【００５１】
また例えば、ユーザが携帯端末３０をコントロールボックス５０に接近させることにより、携帯端末３０は、これらをペアリングするためのアプリケーションソフトウェアを、ほぼ自動的にクラウドからダウンロードしてこれがインストールされるようにすることもできる。
【００５２】
もちろん、コントロールボックス５０は、このような近距離無線通信用のデバイスを有していない場合でも、局域通信部５４を用いて携帯端末３０とペアリングが可能である。
【００５３】
（クラウドシステム）
クラウドシステム１０内の例えばサーバコンピュータは、ＣＰＵ１１、メモリ１２、および携帯端末３０と通信可能に構成された広域通信部１３を有する。
【００５４】
［ソフトウェアの構成］
図３は、携帯端末３０およびコントロールボックス５０にそれぞれ搭載されるソフトウェアの構成を示す。
【００５５】
携帯端末３０は、一般のアプリケーションソフトウェア（以下、単に「アプリ」という。）２６およびコンパニオンアプリ２５をメモリ３２内に格納している。これらのアプリ２５、２６は、携帯端末３０にデフォルトでインストールされたＯＳ（Operating System）上で動作するように構成される。
【００５６】
一般のアプリ２６の種類としては、例えば、ミニブログや交流サイト等のＳＮＳ（Social Networking Service）アプリ、音声認識アプリ、カメラアプリ、メディア再生、ニュース、天気予報サービス等がある。
【００５７】
コンパニオンアプリ２５は、これらのアプリ２６上のデフォルトデータやユーザデータを、ウェアラブル機器７０の表示部７１に表示可能な形式のデータに変換する機能を有する。携帯端末３０は、例えば、コンパニオンアプリ２５をクラウドシステム１０からダウンロードすることにより、コンパニオンアプリ２５がこの携帯端末３０にインストールされる。
【００５８】
コントロールボックス５０は、ペアリング後にコンパニオンアプリ２５と協働するファームウェア４５をメモリ５２内に有する。ファームウェア４５には、カメラ７８を動作させるカメラアプリや、後述する設定画面での設定アプリ等がデフォルトでインストールされている。
【００５９】
［ウェアラブル機器で表示される画面例および本システムの動作例］
（ウェアラブル機器に表示される画面例）
図４は、ウェアラブル機器７０の表示部７１に表示される画面の例を示す。なお、以降では説明の便宜上、携帯端末３０の処理の主体をコンパニオンアプリ２５とし、コントロールボックス５０の処理の主体をファームウェア４５とする。
【００６０】
（カード階層の画面例）
図４の上段に示す階層を「カード（Card）階層」という。カード階層２００は、例えばデフォルトでホーム画面２１１、カメラ画面２１２および設定画面２１３等を含む、各種のカード画面２１０を含む。また、カード階層２００は、その他、ユーザが登録したアプリ２６（図３参照）のカード画面２１４を含む。
【００６１】
カード画面２１０は、カード画面全体の領域のうち、例えば概ね下半分の領域に配置されるカード画像２１５を含む。１つのカード画面２１０（および後述するアプリ画面３１０）が占める領域が、表示部７１による表示領域（Viewport）である。以降の説明では、カード画面２１０が占める領域の画像を、「カード画像」という。ここでいうカード画像（ホーム画面２１１のカード画像を除く）とは、アイコンやウィジェットのようなものであり、アプリにアクセスするためのＧＵＩ（Graphical User Interface）である。１つのカード画面２１０につき１つのカード画像２１５が備えられる。
【００６２】
ユーザは、登録によりカード画面２１０（カード画像２１５）を追加していくことができる。例えばユーザが携帯端末３０を用いてその携帯端末３０にインストールされたアプリ２６に登録操作を行うことにより、コンパニオンアプリ２５がそのアプリ２６に応じたカード画像２１５を生成する。
【００６３】
アプリに応じたカード画像２１５とは、例えばカード画像２１５内にそのアプリとわかるマークや文字を含む画像である。基本的にはコンパニオンアプリ２５が、自身で生成したカード画像２１５をメモリ３２に格納し、また、ファームウェア４５もそれらのうち所定枚数のカード画像２１５をメモリ５２に格納する。
【００６４】
コントロールボックス５０内のファームウェア４５は、これらのカード画面２１０を１つずつ表示部７１に表示するように構成される。同一階層内では、ユーザがタッチパネル５５を介して左右スワイプ操作を入力することにより、ファームウェア４５は、順にそれらのカード画面２１０を表示部７１に表示させる。
【００６５】
なお、カード画面２１０のうち設定画面２１３からアクセス可能な「設定」もアプリケーションソフトウェアの１つであり、このコントロールボックス５０内蔵のデフォルトのアプリである。
【００６６】
（アプリ階層の画面例）
図４の下段に示す階層を「アプリ階層３００」という。アプリ階層３００は、基本的にはカード階層２００を介してアクセスされ得、各カード画面２１０のそれぞれのアプリが起動されたアプリ画面（でのアプリ画像）３１０を含む。
【００６７】
表示部７１は、これらのアプリ画面３１０を１つずつ表示する。ユーザは、カード階層２００を介してアプリ階層３００にアクセスすることができる。ユーザがアプリ階層３００にアクセスする場合、カード階層２００内で選択したカード画面２１０を表示部７１に表示させた状態で、タッチパネル５５をタップ操作する。そうすると、ファームウェア４５は、そのカード画面２１０に対応するアプリ画面３１０を表示部７１に表示させる。
【００６８】
そのアプリ画面３１０からカード画面２１０に戻る場合、ユーザは、コントロールボックス５０の入力キー５３（図２参照）として設けられたバックキーを押す。
【００６９】
また、ユーザは、アプリ階層３００内において任意の１つのアプリ画面３１０が表示されている状態で、タッチパネル５５を左右にスワイプ操作することにより、その１つのアプリ内でアプリ画面３１０を切り替えることができる。例えば、１つのアプリ内の第１の機能と、そのアプリの第１の機能とは異なる機能を有する第２の機能とを切り替えることができる。その機能数（アプリ画像数）は、アプリにより異なる。
【００７０】
アプリがカメラアプリである場合、図４に示すように、カメラアプリは、第１の機能である静止画撮影モードの画面３１１と、第２の機能であるインターバル撮影モードの画面３１３と、第３の機能である動画撮影モードの画面３１３等を有する。
【００７１】
なお、ユーザによる指のスワイプ操作の方向と、画像の移動方向とが一致していてもよいし、逆方向であってもよい。これはユーザの設定により変更可能とされる。
【００７２】
（カード階層内のカード画面の切替処理）
登録されたすべてのカード画像２１５は、コントロールボックス５０内のメモリ５２に格納される。ファームウェア４５は、ユーザによりタッチパネル５５を介して指定されたカード画像２１５をメモリ５２から順番に抽出して表示部７１に表示する。
【００７３】
図５は、コントロールボックス５０におけるカード階層２００内でのカード画面２１０の切り替えの動作を説明するためのイメージ図である。
【００７４】
図５上段に示すように、例えばコントロールボックス５０のメモリ５２が５枚のカード画像２１５（ａ）〜２１５（ｅ）を格納しているとする。５枚のカード画像２１５（ａ）〜（ｅ）は連続するカード画像２１５である。そして、現在、表示部７１には太枠で記載したカード画像２１５（ｃ）が表示されている。
【００７５】
カード画像２１５（ａ）はホーム画面のカード画像であり、カード階層２００において表示部７１に最初に表示される画像（先頭画像）である。カード画像２１５（ｅ）は、カード階層２００において表示部７１に最後に表示される画像（最後尾画像）である。
【００７６】
図５上に示す状態から、ユーザにより、カード画面２１０を左へ移動させるスワイプ操作が入力されたとする。そうすると、ファームウェア４５は、図５中段に示すように、現在表示されているカード画像２１５（ｃ）をカード画像２１５（ｂ）に切り替える。さらにユーザによりカード画面２１０を左へ移動させるスワイプ操作が入力されると、ファームウェア４５は、図５下段に示すように、現在表示されているカード画像２１５（ｂ）をカード画像（ａ）に切り替える。
【００７７】
図５中段に示すように、カード画像２１５（ｃ）からカード画像２１５（ｂ）へ切り替えられると、右端に位置するカード画像２１５（ｅ）はカード画像２１５（ａ）の左側に移動するように各画像の配置が変更される。同様に、図５下段に示すように、カード画像２１５（ｂ）からカード画像２１５（ａ）へ切り替えられると、右端に位置するカード画像２１５（ｄ）はカード画像２１５（ｂ）の左側に移動するように各画像の配置が変更される。
【００７８】
なお、右スワイプ操作の場合は、当該操作毎に、左端に位置するカード画像が順次右端に移動するように各画像の配置が変更されることになる。
【００７９】
以上のように各カード画像２１５（ａ）〜（ｅ）は、スワイプ操作方向に順次、循環するようにして表示部７１に表示される。これにより、最後尾の画像から先頭の画像への移動を１回のスワイプ操作で実現することができるため、操作性の向上を図ることが可能となる。また、表示画像が最後尾画像に到達したにもかかわらず、同方向への更なるスワイプ操作によっても画像が変更されないことに対するユーザの戸惑いを生じさせることもない。
【００８０】
以下、このような画像の循環表示機能を「画像のループ機能」ともいい、先頭画像（図５においてカード画像２１５（ａ））と最後尾画像（図５においてカード画像２１５（ｅ））との境界を「ループの切れ目」ともいう。
【００８１】
ところで、上述したような画像のループ機能においては、ユーザにとってはループの切れ目を認識できず、アプリケーションが無限にあるのではないかとの混乱あるいは錯覚をユーザに生じさせるおそれがある。
【００８２】
そこで本実施形態のウェアラブル機器７０（あるいはコントロールボックス５０）においては、ループの切れ目をユーザに直感的に認識させるため、先頭画像と最後尾画像との間の切り替え時と、これ以外の画像間の切り替え時とにおいて、異なる中間画像を表示部７１に表示させるように構成されている。
【００８３】
すなわち本実施形態に係る表示制御方法は、所定の操作イベントを受ける毎に、表示部７１に表示される画像を順次切り替えるステップと、
表示部７１に最初に表示される先頭画像から最後に表示される最後尾画像に至る個々の画像間の切り替え時には、第１の中間画像を表示部７１に表示させるステップと、
上記最後尾画像と上記先頭画像との間の切り替え時には、上記第１の中間画像とは異なる第２の中間画像を表示部７１に表示させるステップとを有する。
【００８４】
図６は、ファームウェア４５（コントロールボックス５０）によって実行される表示制御方法を説明するフローチャートである。
【００８５】
ファームウェア４５は、カード階層２００において、予め設定された初期画像（先頭画像）を表示部７１に表示させる（ステップＳ１０１）。そして、操作イベントの入力（本例では、ユーザによるタッチパネル５５のスワイプ操作）の有無を検出し、スワイプ操作がなければスワイプ操作が行われるまで待機する（ステップＳ１０２）。
【００８６】
ファームウェア４５は、タッチパネル５５のスワイプ操作を検出すると、そのスワイプ方向に応じて、カード画像の切り替え方向がループの切れ目を通過するか否か判定する（ステップＳ１０２）。すなわち、先頭画像と最後尾画像との間を通過する移動の場合にはループの切れ目を通過すると判定し、それ以外の画像（先頭画像から最後尾画像に到る個々の画像）間を移動する場合にはループの切れ目を通過しないと判定する。
【００８７】
そして、ファームウェア４５は、ループの切れ目を通過しないと判定したときは、第１の中間画像を表示部７１に表示させた後、次画像を表示部７１に表示させる（ステップＳ１０４，Ｓ１０６）。これに対して、ファームウェア４５は、ループの切れ目を通過すると判定したときは、第２の中間画像を表示部７１に表示させた後、次画像を表示部７１に表示させる（ステップＳ１０５，Ｓ１０６）。
【００８８】
第１の中間画像および第２の中間画像は、メモリ５２に格納されている。第１の中間画像と第２の中間画像とは相互に異なる画像で構成されている。これにより、最後尾画像と先頭画像との間の切り替わりをユーザに直感的に認識させることが可能となる。
【００８９】
第１および第２の中間画像は、静止画であってもよいし、動画であってもよい。本実施形態では、第１の中間画像および第２の中間画像は、それぞれ、第１のアニメーション画像および第２のアニメーション画像を含み、第１の中間画像の再生時間よりも、第２の中間画像の再生時間の方が長く設定されている。
【００９０】
ファームウェア４５は、表示部７１に次画像を表示させた後、ユーザによるタッチパネル５５のスワイプ操作を受け付け、以後、上述と同様の処理を実行する。上述の表示制御において、ファームウェア４５またはＣＰＵ５１は、「表示制御部」として機能する。
【００９１】
以下、第１および第２のアニメーション画像について、カード階層２００内でのカード画像２１５の切り替えを例に挙げて説明する。図７は、第１のアニメーション画像を説明する画像遷移図であり、図８は、第２のアニメーション画像を説明する画像遷移図である。
【００９２】
ここでは理解容易のため、カード階層２００に属する画像（カード画像）は、ホーム画面２１１、カメラ画面２１２および設定画面２１３の３つを有する。ホーム画面２１１は先頭画像、設定画面２１３は最後尾画像としてそれぞれ設定され、カメラ画面２１２は、ホーム画面２１１と設定画面２１３の間に配置される。
【００９３】
図７上段および図８上段に示すように、カード階層２００において、ループの切れ目に相当するホーム画面２１１と設定画面２１３との間には、アプリ情報を含まない画像（以下、空白画像２１５という。）が配置されている。空白画面２２０は、ホーム画面２１１等と同一の大きさに設定されている。
【００９４】
各図において実線で示す領域は、表示部７１に表示される表示領域７１０を示す。また、左端に位置するカード画像と右端に位置するカード画面とを双方向に結ぶ矢印Ｌは、各画面を循環表示させるループを示す。
【００９５】
ファームウェア４５は、ホーム画面２１１（先頭画像）の表示状態において、表示領域７１０を右方へスライドさせる右スワイプ操作を検出すると、図７に示すように、第１のアニメーション画像を再生してからカメラ画面２１２を表示部７１に表示させる。
【００９６】
第１のアニメーション画像は、図７の下段の２図に順次示すように、現在表示されているホーム画面２１１の画像を左方向に移動させながら表示領域７１０から消失させつつ、次画像であるカメラ画面２１２の画像を左方向に移動させながら表示領域７１０に表示させる。すなわち、第１のアニメーション画像は、表示領域７１０を図７において右方向に所定速度で移動させている状態を表す動画に相当する。
【００９７】
一方、ファームウェア４５は、ホーム画面２１１（先頭画像）の表示状態において、表示領域７１０を左方へスライドさせる左スワイプ操作を検出すると、図８に示すように、第２のアニメーション画像を再生してから設定画面２１３を表示部７１に表示させる。
【００９８】
第２のアニメーション画像は、図８の下段の４図に順次示すように、ホーム画面２１１の画像を右方向に移動させながら表示領域７１０から消失させた後、設定画面２１３の画像を右方向に移動させながら表示領域７１０に表示させる。すなわち、第２のアニメーション画像は、表示領域７１０を図８において左方向に上記所定速度で移動させている状態を表す動画に相当する。
【００９９】
第２のアニメーション画像は、空白画面２２０を含むため、第１のアニメーション画像よりも長い再生時間を有する。したがって、同じ１回のスワイプ操作で、アニメーション画像に時間の長短が生じることになり、本例においては、第２のアニメーション画像は第１のアニメーション画像の２倍の再生時間を有する。これによりユーザに対して、画像間の遷移がループの切れ目を通過したことを直感的に認識させることが可能となる。
【０１００】
なお、カメラ画面２１２からの右スワイプ操作による設定画面２１３への画面遷移についても上述と同様なアニメーション画像（第１のアニメーション画像）が表示される。設定画面２１３からの左スワイプ操作によるカメラ画面２１２への画面遷移、および、カメラ画面２１２からの左スワイプ操作によるホーム画面２１１への画面遷移においても同様に、表示領域７１０を左方向へ上記所定速度で移動させたときのアニメーション画像（第１のアニメーション画像）が表示される。
【０１０１】
また、設定画面２１３からの右スワイプ操作によるホーム画面２１１への画面遷移についても同様に、表示領域７１０を右方向へ上記所定速度で移動させたときのアニメーション画像（第２のアニメーション画像）が表示される。
【０１０２】
以上のように本実施形態においては、最後尾画像（設定画面２１３）と先頭画像（ホーム画面２１１）との間の切り替え時に、それ以外の画像間の切り替え時とは異なる中間画像を表示部７１に表示させるように構成されている。これにより、ループ機能によって複数の画像を表示させる場合において、ユーザに対して、最後尾画像と先頭画像との間の切り替わりをユーザに直感的に認識させることが可能となる。
【０１０３】
また本実施形態によれば、空白画面２２０の大きさを変えることで、第２のアニメーション画像の再生時間を容易に調整することができる。
【０１０４】
さらに空白画面２２０は画像をまったく含まない画面であってもよいし、アプリ情報とは異なる所定の画像が含まれてもよい。例えば、第２のアニメーション画像は、先頭画像および最後尾画像のうちいずれか一方の画像を表示部７１から消失させた後、他方の画像を表示部７１に表示させる前に表示される、所定の画像をさらに含んでもよい。
【０１０５】
上記所定の画像としては、例えば図７および図８に示すように、隣接する２つのカード画面間に各々表示される複数の境界画像２１０ｖが該当する。境界画像２１０ｖは縦線の画像であり、隣接する２つのカード画面間において共有される。このような境界画像２１０ｖを空白画面２２０に表示させることで、ループの切れ目を強調表示させることができる。なお、境界画像２１０ｖの数および形態は特に限定されず、任意の数および形態で構成されてもよい。
【０１０６】
あるいは上記所定の画像は、先頭画像および最後尾画像の各々対称な位置に表示される画像であってもよい。例えば図９の上段に示すように、先頭画像であるホーム画面２１１は、その左端に、境界画像２１０ｖとは異なる境界画像２１０ｖ１を有する。一方、図９の下段に示すように、最後尾画像である設定画面２１３は、その右端に、境界画像２１０ｖ，２１０ｖ１とは異なる境界画像２１０ｖ２を有する。境界画像２１０ｖ１，２１０ｖ２はホーム画面２１１および設定画面２１３の各々対称な位置に表示される。なお、図９の下段においてカメラ画面２１２の図示は省略している。
【０１０７】
境界画像２１０ｖ１は、縦線の中央左側に三角形の矢印が付された画像であり、境界画像２１０ｖ２は、縦線の中央右側に三角形の矢印が付された画像である。これら矢印は、その方向に位置する空白画面２２０の存在を示唆するように設定されているが、勿論これに限られない。
【０１０８】
また、境界画像２１０ｖ１，２１０ｖ２は、図９の中段に示すように空白画面２２０への画面遷移時に通常の境界画像２１０ｖとして表示され、先頭画像であるホーム画面２１１あるいは最後尾画像である設定画面２１３への切り替え時に初めて表示されるように設定される。なおこれに限られず、空白画面２２０の画面遷移時においても境界画像２１０ｖ１，２１０ｖ２がそのまま表示されるように構成されてもよい。
【０１０９】
以上のように、ホーム画面２１１および設定画面２１３の各々対称な位置に境界画像２１０ｖ１，２１０ｖ２をそれぞれ表示させることにより、ユーザに対して、ホーム画面２１１を先頭画像として、設定画面２１３を最後尾画像として、それぞれ認識させることが可能となる。
【０１１０】
また、ユーザに対して先頭画像および最後尾画像を強調表示するため、例えば、これら以外の画面（カメラ画面２１２）には境界画像２１０ｖの表示が省略されてもよい。すなわち、ファームウェア４５は、先頭画像（設定画面２１１）および最後尾画像（設定画面２１３）には他の画像（カメラ画面２１２）にはない所定の画像（境界画像２１０ｖ、２１０ｖ１あるいは２１０ｖ２）をそれぞれ表示させるように構成されてもよい。このような表示形態においても、境界画像２１０ｖそのものにループの切れ目の存在を示唆する機能をもたせることができる。また必要に応じて、空白画面２２０は省略されてもよい。
【０１１１】
＜第２の実施形態＞
図１０は、本技術の第２の実施形態に係るカード階層２００の画像遷移図である。以下、第１の実施形態と異なる構成について主に説明し、上述の実施形態と同様の構成については同様の符号を付しその説明を省略または簡略化する。
【０１１２】
本実施形態におけるウェアラブル機器７０において、ファームウェア４５は、ループの切れ目を通過するスワイプ操作を検出したとき、第２のアニメーション画像を第１のアニメーション画像よりも小さく表示させるように構成される。
【０１１３】
例えば図１０の上段に示すように、ファームウェア４５は、ホーム画面２１１（先頭画像）の表示状態において、表示領域７１０を左方へスライドさせる左スワイプ操作を検出すると、図１０の下段の３図に順次示すように、第２のアニメーション画像を再生してから設定画面２１３を表示部７１に表示させる。なお図１０の最下段においてカメラ画面２１２の図示は省略している。
【０１１４】
第２のアニメーション画像は、第１の実施形態と同様に、ホーム画面２１１の画像を右方向に上記所定速度で移動させながら表示部７１から消失させつつ、設定画面２１３を右方向に上記所定速度に移動させながら表示部７１に表示させる。本実施形態では、画面サイズを通常よりも縮小された状態で移動表示される点で、第１の実施形態と異なる。設定画面２１３への移動遷移が完了すると、設定画面２１３は通常の画面サイズに拡大される。
【０１１５】
なお第１のアニメーション画像は、第１の実施形態と同様に通常の画面サイズで画面の移動遷移が表示される。また、設定画面２１３からホーム画面２１１への画面遷移についても、上述と同様に画面サイズが縮小された状態で移動表示される。
【０１１６】
上述のように、通常と異なる表示形態で画面遷移を実行することで、ユーザに対して、先頭画像と最後尾画像との間の切り替えを認識させることができる。
【０１１７】
＜第３の実施形態＞
図１１は、本技術の第３の実施形態に係るカード階層２００の画像遷移図である。以下、第１の実施形態と異なる構成について主に説明し、上述の実施形態と同様の構成については同様の符号を付しその説明を省略または簡略化する。
【０１１８】
本実施形態におけるウェアラブル機器７０において、ファームウェア４５は、画像（カード画面）の切り替えに同期して移動するスクロールバー２１０ｓを表示部７１にさらに表示させるように構成される。
【０１１９】
例えば図１１の上段に示すように、ファームウェア４５は、ホーム画面２１１（先頭画像）の表示状態において、表示領域７１０を左方へスライドさせる左スワイプ操作を検出すると、図１１の下段の２図に順次示すように、第２のアニメーション画像を再生してから設定画面２１３を表示部７１に表示させる。第２のアニメーション画像は、第１の実施形態と同様な表示形態で再生されるが、第２の実施形態と同様な表示形態で再生されてもよい。なお図１１の最下段においてカメラ画面２１２の図示は省略している。
【０１２０】
スクロールバー２１０ｓは、表示領域７１０の下端部に表示された所定幅の横線で構成され、図中白抜きで示すスケール領域Ｓ０内を移動可能に表示される。スクロールバー２１０ｓは、すべてのカード画面において表示され、カード画面の移動に同期して同方向へ移動するように表示制御される。このため、ユーザにとってはスクロールバー２１０ｓの位置によって、現在表示されているカード画面の配列位置を容易に認識することが可能となる。
【０１２１】
またファームウェア４５は、第２のアニメーション画像を表示させるとき、スクロールバー２１０ｓを表示領域７１０に分割して表示させるように構成される。本実施形態では、図１１の中央に示すように、空白画面２２０の再生中にスクロールバー２１０ｓが左右に分割表示される。左方に位置するスクロールバー２１０ｓ１は、移動先の画面（設定画面２１３）に表示されるスクロールバーに相当し、右方に位置するスクロールバー２１０ｓ２は、移動前の画面（ホーム画面２１１）に表示されるスクロールバーに相当する。
【０１２２】
この場合、左右のスクロールバー２１０ｓ１，２１０ｓ２は、画面の移動量に応じて各々の長さが連続的に変化するように構成されてもよい。例えば、ホーム画面２１１から設定画面２１３への移動過程で、左側のスクロールバー２１０ｓ１は次第に長くなり、右側のスクロールバー２１０ｓ２は次第に短くなるような表示制御が可能である。
【０１２３】
なお、スクロールバー２１０ｓは、図１２に示すように、第２のアニメーション画像の再生時に表示領域７１０から消失させてもよい。この場合、スクロールバー２１０ｓの消失によりユーザは、通常の画面遷移と異なることを直感的に認識できるようになる。
【０１２４】
以上、本技術の実施形態について説明したが、本技術は上述の実施形態にのみ限定されるものではなく、本技術の要旨を逸脱しない範囲内において種々変更を加え得ることは勿論である。
【０１２５】
例えば、以上の実施形態では、第２のアニメーション画像の再生時に空白画面２２０を表示することで、その再生時間が第１のアニメーション画像よりも長くなるように構成された。これに代えて、第２のアニメーション画像における画像の移動速度を第１のアニメーション画像における画像の移動速度よりも遅くすることで、第２のアニメーション画像の再生時間を第１のアニメーション画像の再生時間よりも長くしてもよい。
【０１２６】
以上の実施形態では、カード階層２００内における画面遷移を例に挙げて説明したが、これに限られず、例えばアプリ階層３００等の他のグループに属する複数の画像間の画面遷移にも本技術は適用可能である。
【０１２７】
また、ファームウェア４５は、第１のアニメーション画像および第２のアニメーション画像の再生時に、それぞれ異なる効果音をオーディオデバイス部５８で再生させるように構成されてもよい。すなわち、ウェアラブル機器７０は、第１の中間画像を表示部７１に表示させるときに第１の音響を再生し、第２の中間画像を表示部７１に表示させるときに上記第１の音響とは異なる第２の音響を再生するように構成された音響出力部をさらに具備してもよい。カードスワイプ時に、通常のスワイプとは異なる効果音が鳴ることで、ループの切れ目をより認識しやすくすることができる。ｌ
【０１２８】
また以上の実施形態では、視野の左右方向にカード画面がスクロール（遷移）するように構成されたが、これに限られない。例えば、視野の上下方向に画面がスクロールするように構成されてもよいし、視野の奥から手前へ画面が入れ替わるように構成されてもよい。
【０１２９】
さらに以上の実施形態では、カード階層２００に属するすべてのカード画面２１０がコントロールボックス５０内のメモリ５２に格納されるように構成されたが、これに限られない。例えば、カード画像２１５の数が所定以上の場合には、携帯端末３０のコンパニオンアプリ２５が、登録されたすべてのカード画像２１５をメモリ３２内に格納してもよい。この場合、ファームウェア４５は、それらのうち所定枚数（例えば登録された順に所定枚数に達するまで）のカード画像２１５をコントロールボックス５０内のメモリ５２に格納する。そして、ファームウェア４５は、ユーザによりタッチパネル５５を介して指定されたカード画像２１５をメモリ５２から抽出して表示部７１に表示する。また、ファームウェア４５は、必要に応じてコンパニオンアプリ２５を介して携帯端末３０のメモリ３２からカード画像２１５の送信を要求し、これを受信して表示部７１に表示する。これによりコントロールボックス５０内の必要なメモリ容量を削減しながら、あるいは、小容量のメモリを使用してコストを低減しながら、カード画面２１０の切替をスムーズに行うことができる。
【０１３０】
さらに以上の実施形態では、電子機器としてウェアラブル機器を例に挙げて説明したが、携帯電話やスマートホン、パーソナルコンピュータ（ＰＣ）、ＰＣタブレット、携帯型ゲーム機器等の他の電子機器にも本技術は適用可能である。
【０１３１】
なお、本技術は以下のような構成もとることができる。
（１）画像を表示するように構成された表示部と、
前記表示部に表示される画像を切り替える所定の操作イベントが入力されるように構成された操作部と、
前記表示部に表示される複数の画像を格納するように構成された記憶部と、
前記所定の操作イベントを受ける毎に、前記表示部に表示される画像を順次切り替えることが可能であり、前記表示部に最初に表示される先頭画像から最後に表示される最後尾画像に至る個々の画像間の切り替え時には第１の中間画像を前記表示部に表示させ、前記最後尾画像と前記先頭画像との間の切り替え時には前記第１の中間画像とは異なる第２の中間画像を前記表示部に表示させるように構成された表示制御部と
を具備するウェアラブル機器。
（２）上記（１）に記載のウェアラブル機器であって、
前記第１の中間画像は、第１の再生時間を有し、
前記第２の中間画像は、前記第１の再生時間よりも長い第２の再生時間を有する
ウェアラブル機器。
（３）上記（２）に記載のウェアラブル機器であって、
前記第１の中間画像は、現在表示されている第１の画像を所定方向に移動させながら前記表示部から消失させつつ、前記第１の画像の次に表示される第２の画像を前記所定方向に移動させながら前記表示部に表示させる第１のアニメーション画像を含む
ウェアラブル機器。
（４）上記（３）に記載のウェアラブル機器であって、
前記第２の中間画像は、前記先頭画像および最後尾画像のうち一方の画像を前記所定方向に移動させながら前記表示部から消失させた後、他方の画像を前記所定方向に移動させながら前記表示部に表示させる第２のアニメーション画像を含む
ウェアラブル機器。
（５）上記（４）に記載のウェアラブル機器であって、
前記第２のアニメーション画像は、前記一方の画像を前記表示部から消失させた後、前記他方の画像を前記表示部に表示させる前に表示される、所定の画像をさらに含む
ウェアラブル機器。
（６）上記（４）に記載のウェアラブル機器であって、
前記表示制御部は、前記第２のアニメーション画像を前記第１のアニメーション画像よりも小さく表示させるように構成される
ウェアラブル機器。
（７）上記（１）〜（６）のいずれか１つに記載のウェアラブル機器であって、
前記先頭画像および前記最後尾画像は、各々対称な位置に表示される所定の画像をそれぞれ有する
ウェアラブル機器。
（８）上記（１）〜（７）のいずれか１つに記載のウェアラブル機器であって、
前記表示制御部は、前記画像の切り替えに同期して移動するスクロールバーを前記表示部にさらに表示させるように構成される
ウェアラブル機器。
（９）上記（８）に記載のウェアラブル機器であって、
前記表示制御部は、前記第２の中間画像を表示させるときに前記スクロールバーを分割して表示させるように構成される
ウェアラブル機器。
（１０）上記（８）に記載のウェアラブル機器であって、
前記表示制御部は、前記第２の中間画像を前記表示部に表示させるときに前記スクロールバーを前記表示部から消失させるように構成される
ウェアラブル機器。
（１１）上記（１）〜（１０）のいずれか１つに記載のウェアラブル機器であって、
前記第１の中間画像を前記表示部に表示させるときに第１の音響を再生し、前記第２の中間画像を前記表示部に表示させるときに前記第１の音響とは異なる第２の音響を再生するように構成された音響出力部をさらに具備する
ウェアラブル機器。
（１２）上記（１）〜（１１）のいずれか１つに記載のウェアラブル機器であって、
前記表示部を搭載し、ユーザの頭部に装着可能に構成された装着ユニットをさらに具備する
ウェアラブル機器。
【符号の説明】
【０１３２】
３０…携帯端末
４５…ファームウェア
５０…コントロールボックス
５５…タッチパネル
５２…メモリ
７０…ウェアラブル機器
７１…表示部
１００…情報処理システム
２１０…カード画面
２１０ｖ，２１０ｖ１，２１０ｖ２…境界画像
２１０ｓ，２１０ｓ１，２１０ｓ２…スクロールバー
２１１…ホーム画面
２１２…カメラ画面
２１３…設定画面
２２０…空白画面
【図１】
0006497381.tif 000002
【図２】
0006497381.tif 000003
【図３】
0006497381.tif 000004
【図４】
0006497381.tif 000005
【図５】
0006497381.tif 000006
【図６】
0006497381.tif 000007
【図７】
0006497381.tif 000008
【図８】
0006497381.tif 000009
【図９】
0006497381.tif 000010
【図１０】
0006497381.tif 000011
【図１１】
0006497381.tif 000012
【図１２】
0006497381.tif 000013